(57)【要約】レイク受信機の所定のフィンガーにより供給される信号を重み付けするための重み係数を供給する装置が開示される。この装置は、レイク受信機の複数のフィンガーのそれぞれにより供給される信号のパワーを測定するための手段（１１）と、前記所定のフィンガーについての干渉の評価を供給するために、前記所定のフィンガー以外のフィンガーについて前記測定されたパワーを合計する手段（１２）と、前記評価された干渉から前記所定のフィンガーについての重み係数を計算するための手段（１３）を具備する。
2004523990.tif 000002
【特許請求の範囲】
【請求項１】
レイク受信機の所定のフィンガーにより供給される信号を重み付けするための重み係数を供給する装置であって、
前記レイク受信機の複数のフィンガーのそれぞれによって供給される信号のパワーを測定する測定手段と、
前記所定のフィンガーに関する干渉を評価するために、前記所定のフィンガー以外のフィンガーに関して前記測定されたパワーを合計する合計手段と、
前記評価された干渉から前記所定のフィンガーについて重み係数を計算する計算手段と
を具備する重み係数供給装置。
【請求項２】
前記計算手段が、前記フィンガーに関する平均的干渉を計算する手段を具備することを特徴とする請求項１に記載された重み係数供給装置。
【請求項３】
前記計算手段が、前記所定のフィンガーに関して評価された干渉からの寄与と前記フィンガーに関する平均的干渉からの寄与とを用いて前記重み係数を計算する手段を具備することを特徴とする請求項２に記載された重み係数供給装置。
【請求項４】
制御パラメータに基づき前記重み係数の計算において前記寄与の程度を変える手段を具備することを特徴とする請求項３に記載された重み係数供給装置。
【請求項５】
ハンドオーバ条件に基づき前記制御パラメータを供給する手段を具備することを特徴とする請求項４に記載された重み係数供給装置。
【請求項６】
請求項１ないし５の何れか１項に記載された重み係数供給装置を具備し、且つ、前記所定のフィンガーにより供給される信号をスケーリングするスケーリング手段を具備するレイク受信機。
【請求項７】
前記スケーリング手段が、前記所定のフィンガーにスケーリングファクタを供給するために、前記所定のフィンガーについての重み係数と最小の重み係数との比を計算する手段を具備することを特徴とする請求項６に記載されたレイク受信機。
【請求項８】
前記スケーリング手段が、前記所定のフィンガーにより供給される信号に、前記所定のフィンガーについてのスケーリングファクタを乗算する手段を具備することを特徴とする請求項７に記載されたレイク受信機。
【請求項９】
前記スケーリング手段が、スケーリングファクタを供給するために、前記フィンガーの前記測定されたパワーの総和と全ての前記フィンガーについての前記重み係数の総和との比を計算する手段を具備することを特徴とする請求項６に記載されたレイク受信機。
【請求項１０】
前記スケーリング手段が、前記所定のフィンガーにより供給される信号に、前記所定のフィンガーについての前記重み係数の平方根が乗算された前記スケーリングファクタの逆数を乗算する手段を具備することを特徴とする請求項９に記載されたレイク受信機。
【請求項１１】
添付の図面である図１もしくは図２を参照してここに記述され、又は、図１もしくは図２に示されるものと実質的に同様の装置。
【請求項１２】
レイク受信機の所定のフィンガーに重み係数を供給する方法であって、
複数のフィンガーのそれぞれについて信号のパワーを測定する測定ステップと、
前記所定のフィンガーに関する干渉を評価するために、前記所定のフィンガー以外のフィンガーに関して前記測定されたパワーを合計する合計ステップと、
前記評価された干渉から前記所定のフィンガーについて重み係数を計算する計算ステップと、
を具備する重み係数供給方法。
【請求項１３】
前記計算ステップが、前記フィンガーに関して前記平均的干渉を計算するステップを具備することを特徴とする請求項１２に記載された重み係数供給方法。
【請求項１４】
前記計算ステップが、前記所定のフィンガーに関して評価された干渉からの寄与と前記フィンガーに関する平均的干渉からの寄与とを用いて前記重み係数を計算するステップを具備することを特徴とする請求項１２または１３の何れかに記載された重み係数供給方法。
【請求項１５】
制御パラメータに基づき前記重み係数の計算において前記寄与の程度を変えるステップを更に具備することを特徴とする請求項１４に記載された重み係数供給方法。
【請求項１６】
ハンドオーバ条件に基づき前記制御パラメータを供給するステップを更に具備することを特徴とする請求項１５に記載された重み係数供給方法。
【請求項１７】
レイク受信機を動作させる方法であって、
請求項１３ないし１６の何れか１項に記載された重み係数供給方法を具備し、且つ、前記所定のフィンガーにより供給される信号をスケーリングするスケーリングステップを具備するレイク受信機の動作方法。
【請求項１８】
前記スケーリングステップが、スケーリングファクタを供給するために、前記所定のフィンガーについての重み係数と全フィンガー中の最小の重み係数との比を計算するステップを具備することを特徴とする請求項１７に記載されたレイク受信機の動作方法。
【請求項１９】
前記スケーリングステップが、前記所定のフィンガーにより供給される信号に、前記所定のフィンガーについてのスケーリングファクタを乗算するステップを具備することを特徴とする請求項１８に記載されたレイク受信機の動作方法。
【請求項２０】
前記スケーリングステップが、全ての前記フィンガーの前記測定されたパワーの総和と、全ての前記フィンガーについての前記重み係数の総和との比を計算して、スケーリングファクタを供給するステップを具備することを特徴とする請求項１７に記載されたレイク受信機の動作方法。
【請求項２１】
前記スケーリングステップが、前記所定のフィンガーにより供給される信号と、前記所定のフィンガーについての前記重み係数の平方根が乗算された前記スケーリングファクタの逆数とを乗算するステップを具備することを特徴とする請求項２０に記載されたレイク受信機の動作方法。
【発明の詳細な説明】
【技術分野】
【０００１】
本発明は、レイク受信機の所定のフィンガーにより供給される信号を重み付けするための重み係数(weighting factor)を供給する装置に関する。本発明は、また、レイク受信機の所定のフィンガーに重み係数を供給する方法に関する。本発明は、また、レイク受信機およびレイク受信機の動作方法に関する。
【背景技術】
【０００２】
レイク受信機は、複数のフィンガーを具備し、各フィンガーは、逆拡散コードの異なる位相で乗算することにより受信信号の異なる成分を処理する。その結果として得られる信号は、結合される前に位相および振幅が調整される。通常、信号対干渉比（ＳＩＲ）から計算される重み係数に基づきフィンガーにより供給される信号のそれぞれの振幅を調整しており、このＳＩＲは各フィンガーについて測定される。しかしながら、ＳＩＲの測定は、ハードウェアおよび／または処理資源の点でコストがかかる。
【発明の開示】
【発明が解決しようとする課題】
【０００３】
本発明は、重み係数を供給するために必要とされるハードウェアおよび／または処理資源の量を低減することを目的とする。
【課題を解決するための手段】
【０００４】
本発明の第１の特徴によれば、レイク受信機の所定のフィンガーにより供給される信号を重み付けするための重み係数を供給する装置が提供され、この装置は、前記レイク受信機の複数のフィンガーのそれぞれによって供給される信号のパワーを測定する測定手段と、前記所定のフィンガーに関する干渉を評価するために、前記所定のフィンガー以外のフィンガーに関して前記測定されたパワーを合計する合計手段と、前記評価された干渉から前記所定のフィンガーについて重み係数を計算する計算手段とを具備する。
【０００５】
本発明の第２の特徴によれば、前記所定のフィンガーにより供給される信号をスケーリング(scaling)するためのこの装置および方法を具備するレイク受信機が提供される。
【０００６】
本発明の第３の特徴によれば、レイク受信機の所定のフィンガーに重み係数を供給する方法が提供され、この方法は、複数のフィンガーについて信号のパワーを測定する測定ステップと、前記所定のフィンガーに関する干渉を評価するために、前記所定のフィンガー以外のフィンガーに関して前記測定されたパワーを合計する合計ステップと、前記評価された干渉から前記所定のフィンガーについて重み係数を計算する計算ステップと、を具備する。
【発明の効果】
【０００７】
本発明によれば、ＳＩＲ測定用のハードウェアおよび／またはソフトウェアルーチンを用いることなく、重み係数を供給することが可能になる。
【発明を実施するための最良の形態】
【０００８】
以下、添付の図面を参照しながら、一例を用いて本発明の実施形態を述べる。
ここで、図１は、本発明の第１の実施形態による装置を図式的に示す図であり、図２は、本発明の第２の実施形態による装置を図式的に示す図である。
【０００９】
図１は、本発明により構成されたレイク受信機の一部をなす装置１０を示す。この装置１０は、逆拡散コードの異なる位相に対応する個々の信号経路上のＮ個のフィンガーからの入力信号Ｗip(0)ないしＷip(N-1)を受信し、この入力信号は互いに独立した振幅と位相を有している。この入力信号の振幅は、Ｆ(0)ないしＦ(N-1)に図式的に示され、そして、通常、レイク受信機が信号を受信する伝達装置に対して、レイク受信機が移動すると、その信号は、振幅、位相、およびコードスペース(code space)が変化する。
【００１０】
入力Ｗip(0)ないしＷip(N-1)は、パワー計算装置１１に供給され、このパワー計算装置１１は、従来方法により各入力信号のパワーを測定する。入力信号Ｗip(0)ないしＷip(N-1)のそれぞれに対応するＮ個のパワー測定値は、干渉評価装置１２に供給される。所定のフィンガーに関する干渉(interference)は、干渉評価装置１２により評価(estimate)されて、上記所定のフィンガー以外の全フィンガーについて計算されたパワーの合計となる。この計算は、各フィンガーについて実行され、そしてＮ個の干渉評価(N interference estimates)がノイズパワー計算装置１３に供給される。
【００１１】
フィンガーに関する干渉パワーは、フィンガーに関する干渉の平均量が逆拡散コードの拡散係数（ＳＦ）で除算された残りのフィンガーに関するパワーに比例するので、この方法で評価することができる。提案されたＵＭＴＳ(Universal mobile telephone system)にとっては、ダウンリンクの伝送（ノードＢからユーザ端末（ＵＥ）へ）は、直交可変拡散率（ＯＶＳＦ；Orthogonal Variable Spreading Factor)コード−ＯＶＳＦコードがノードＢで正確に同期したときに特別な交差の相互関係(cross-correlation)を有する。データは、ＯＶＳＦコードの全ての繰り返しについて、ひとつのデータビットのレートで伝送される。ＯＶＳＦコードのチップレートは固定されるが、しかしこのコード長は、ＳＦに等しく、可変データレートを可能にするために可変となっている。この実施形態は、ＵＭＴＳにおいて使用するために、ＵＥにおけるレイク受信機の一部を構成する。
【００１２】
ノイズパワー計算装置１３は、次の数式（１）を用いて、各フィンガーに関するノイズパワーを計算する。
【００１３】
【数１】
2004523990.tif 000003
【００１４】
ここで、Ｐｉｎｔ(i)はフィンガーについての干渉評価(interference estimate)であり、Ｅ｛Ｐｉｎｔ｝はフィンガーについての平均的干渉(average interference)であり、そしてαは０と１．０２４との間の値を有する制御パラメータであって、１０−３×２ｎである。そのようにして計算されたノイズパワーは、スケーリングファクタ計算装置１５に重み係数として供給される。α＝０の場合、所定のフィンガーについて計算されたノイズパワーがそのフィンガーについて評価された干渉に比例することが理解される。α＝１．０２４の場合、所定のフィンガーについて計算されたノイズパワーはそのフィンガーに関する平均的干渉に比例する。平均的干渉は、干渉評価を合計し、そしてその結果をＮで除算することにより計算される。αが０と１．０２４との間であれば、所定のフィンガーについて計算されたノイズパワーは、そのフィンガーについて評価された干渉からの寄与(contribution)と、そのフィンガーについての平均的干渉からの寄与を含む。α＝１．０２４は、最大比結合(MRC; maximal ratio combining)の結果を与え、そしてα＝０は、近似的ＷＭＦ(whitened matched filter)に起因すると考えられる結果を与える。α＝０．５１２は、ＭＲＣおよびＷＭＦからの寄与が等しくバランスした結果を与える。
【００１５】
各フィンガーについての重み係数は、スケーリングファクタ計算装置１５に受信され、そのスケーリングファクタ計算装置１５は、次の数式（２）に従って各フィンガーについてスケーリングファクタｓ(i)を計算する。
【００１６】
【数２】
2004523990.tif 000004
【００１７】
ここで、Ｐｎｏｉｓｅ(i)は、所定のフィンガーについての重み係数であり、Ｐｎｏｉｓｅ  ｍｉｎは、全フィンガーのうちの最小の重み係数である。もちろん、最小の重み係数を供給するフィンガーは、最も大きな振幅の入力信号Ｗip(0)ないしＷip(N-1)を有するフィンガーである。
【００１８】
スケーリングファクタの計算および近似的除算は、固定小数点演算を用いて実行される。アップスケーリングおよびダウンスケーリング演算は、実行される計算によって適切に使用される。固定小数点演算は、比較的簡単なハードウェアしか必要としないので有利である。スケーリングファクタはスケーリングファクタ計算装置１５によりスケーリング装置１６に供給され、スケーリング装置１６は、各入力信号Ｗip(0)ないしＷip(N-1)に適切なスケーリングファクタを乗算して、重み付けされ且つスケーリングされた出力信号Ｗop(0)ないしＷop(N-1)を供給し、この出力信号は結合器（図示なし）に与えられる。
【００１９】
第２の実施形態を図２に示す。図２を参照すると、同様の要素に対しては図１から参照数字をそのまま維持して、装置２０が示される。スケーリングファクタ計算装置２１は、スケーリング装置１６への出力上に単一のスケーリングファクタを供給し、このスケーリング装置は、また、ノイズパワー計算装置１３から重み信号Ｐｎｏｉｓｅ(i)の全てを受け取る。
【００２０】
スケーリングファクタ計算装置２１は、浮動小数点演算において次の数式（３）を用いてスケーリングファクタｓを計算する。
【００２１】
【数３】
2004523990.tif 000005
【００２２】
スケーリング装置１６は、浮動小数点演算において次の数式（４）を用いて入力信号Ｗip(0)ないしＷip(N-1)について演算する。
【００２３】
【数４】
2004523990.tif 000006
【００２４】
その結果、スケーリング装置１６は、重み付けされ且つスケーリングされた出力信号Ｗop(0)ないしＷop(N-1)を供給し、そしてこの出力信号は結合器（図示なし）に与えられる。
【００２５】
第２の実施形態の装置は、ハードウェアの増大及び複雑さという犠牲を払うが、第１の実施形態の装置を超えて改善された性能を提供する。
【００２６】
他の実施形態では、αの値は表１に示されるようなハンドオーバ条件(handover condition)に従って選択される。
【００２７】
【表１】
2004523990.tif 000007
【００２８】
他の実施形態では、αは、ハンドオーバ条件に関係なく０．５または０．５１２に固定される。もちろん、他の変形例も本発明の範囲内である。
【図面の簡単な説明】
【００２９】
【図１】本発明の第１の実施形態による装置の図式的な図である。
【図２】本発明の第２の実施形態による装置の図式的な図である。
【符号の説明】
【００３０】
１１  パワー計算装置
１２  干渉評価装置
１３  ノイズパワー計算装置
１５，２１  スケーリングファクタ計算装置
１６  スケーリング装置
【図１】
2004523990.tif 000008
【図２】
2004523990.tif 000009
【国際公開パンフレット】
2004523990.tif 000010
2004523990.tif 000011
2004523990.tif 000012
2004523990.tif 000013
2004523990.tif 000014
2004523990.tif 000015
2004523990.tif 000016
2004523990.tif 000017
2004523990.tif 000018
2004523990.tif 000019
2004523990.tif 000020
2004523990.tif 000021
【国際調査報告】
2004523990.tif 000022
2004523990.tif 000023